(57)【特許請求の範囲】
【請求項１】
撮像装置に着脱可能に装着されるレンズ装置であって、
光軸の方向に移動して焦点調節を行うフォーカスレンズと、
前記フォーカスレンズを操作可能にするフォーカスリングと、
撮影画面全体を表示する標準モードと撮影画面の一部を拡大表示する拡大モードの間で前記撮像装置の電子ビューファインダの表示モードを切換える第１の操作部材と、
オートフォーカスモードとマニュアルフォーカスモードのいずれか一方を選択する第２の操作部材と、を有し、
前記第１の操作部材と前記第２の操作部材は、前記光軸を中心とした円周上の同一の位相に配置されており、
前記第１の操作部材は、前記第２の操作部材よりも前記フォーカスリングに近く、前記フォーカスリング上に使用者が手を置いた状態のまま、前記手の親指で操作可能な位置に配置されていることを特徴とするレンズ装置。
【請求項２】
前記撮像装置の撮像装置側接点ブロックと接続されるレンズ側接点ブロックと、
前記撮像装置と通信をするレンズ通信手段と、を有し、
前記レンズ通信手段は、前記撮像装置へ前記第１の操作部材の状態を示す信号及び前記第２の操作部材の状態を示す信号を出力することを特徴とする請求項１に記載のレンズ装置。
【請求項３】
前記マニュアルフォーカスモードが選択されている場合、前記第１の操作部材の操作に応じて前記標準モードを前記拡大モードに切換える信号を出力し、
前記オートフォーカスモードが選択されている場合、前記第１の操作部材の操作に応じて前記拡大モードが選択されても前記表示モードを前記標準モードに維持し続ける信号を出力する制御手段と、を有することを特徴とする請求項１又は２に記載のレンズ装置。
【請求項４】
請求項１乃至３のいずれかに記載のレンズ装置と、前記レンズ装置に着脱可能に装着される撮像装置と、を備えたことを特徴とする撮像システム。
【発明の詳細な説明】
【技術分野】
【０００１】
本発明は、ビデオカメラ、デジタルスチルカメラ等の撮像装置に装着可能なレンズ装置に関する。
【背景技術】
【０００２】
ＣＣＤセンサやＣＭＯＳセンサ等の撮像素子を用いた撮像装置と、該撮像装置に対して交換可能なレンズ装置を含む撮像システムが多く使用されている。例えば、特許文献１には、このような撮像システムにおいて、レンズ−撮像装置間のマウント部に設けられた通信接点を設けたものが開示されている。この撮像システムでは、該通信接点を介して、レンズ側マイクロコンピュータと撮像装置側マイクロコンピュータとの間で通信路を形成する。そして、例えば、撮像装置で得られた露光情報をレンズ側に通信し、レンズ側に設けられたアイリスドライバを動作させて自動露出調整を行う。
【０００３】
ところで、最近の撮像装置においては、撮像素子の画素の狭ピッチ化が進み、４００万〜１０００万の画素の撮像素子を備えた高解像撮影が可能な撮像装置が多く用いられてきている。また、静止画撮影のみならず、ビデオ撮影においても、ＨＤと称する従来のテレビ放送に対して大幅に高解像度の画像を記録するシステムが用いられ始めている。なお、レンズ交換式の撮像装置は、一般にプロ仕様のものが多い。そして、プロのカメラマンは、オートフォーカスよりもマニュアルフォーカスを好む場合が多い。
【０００４】
このような状況の中で、マニュアルフォーカス時に撮像装置に設けられた電子ビューファインダで正しくピントの状態を把握するためには、電子ビューファインダに表示される画像が撮影記録される画像と同等の解像度を有することが必要である。但し、これを実現するためには、電子ビューファインダを大型化させる必要がある。このため、撮像装置全体の小型化、軽量化およびローコスト化の弊害となる。
【０００５】
そこで、マニュアルフォーカス時においても、電子ビューファインダでピント状態を正しく見極めることができる機能として、撮影者の操作に応じて、撮影画面の中央の一部領域を電子ビューファインダに拡大表示させる方法が考えられる。具体的には、標準サイズでの表示によって撮影画面の全体を把握する状態と、ピントを確認するために画面の一部を拡大して表示する状態とに、スイッチ操作に応じて切り換えられるようにすればよい。
【先行技術文献】
【特許文献】
【０００６】
【特許文献１】特開平９−２４３８９９号公報（段落００４７〜００６１等）
【発明の概要】
【発明が解決しようとする課題】
【０００７】
しかしながら、マニュアルフォーカスは、交換レンズ側に設けられたフォーカスリングを回転操作しながら操作される。一方、電子ビューファインダを備えた撮像装置側に、拡大表示と標準表示との切換えスイッチが設けられていることが一般的である。この場合、フォーカスリングの操作時と拡大／標準表示の切換え操作時とでレンズ側と撮像装置側との間で大きく手を移動させなければならない。このため、操作が煩雑で、スムーズな撮影に支障をきたすという問題がある。
【０００８】
また、上記特許文献１には、レンズ側での光学ズームと撮像装置側での電子ズームとをレンズ側に設けられたズームリングの操作によって連続して動作させる技術が開示されている。この場合も、電子ズームのオン／オフスイッチは撮像装置側に設けられている。このため、上記の拡大／標準表示の切換え操作と同様に、電子ズームをオン／オフする際には、ズームリングから手を離して撮像装置側に大きく移動させなければならない。つまり、操作が煩雑となり、スムーズな撮影に支障をきたすおそれがある。
【０００９】
さらに、レンズ側に絞り操作用のマニュアルリングを有し、撮像装置側に電子シャッタ機能（撮像素子の電荷蓄積時間を可変とする機能）およびその設定スイッチを有する場合がある。この場合にも、同じ露出コントロールに関する機能の操作でありながら、レンズ側と撮像装置側とに操作部が分かれているために、操作の煩わしさが問題となる。
【００１０】
本発明は、レンズ側と撮像装置側とに分かれて設けられた機能の操作を容易とし、スムーズな撮影を行えるようにしたレンズ装置を提供することを目的の１つとしている。
【課題を解決するための手段】
【００１１】
本発明の一側面としてのレンズ装置は、撮像装置に着脱可能に装着されるレンズ装置であって、光軸の方向に移動して焦点調節を行うフォーカスレンズと、前記フォーカスレンズを操作可能にするフォーカスリングと、撮影画面全体を表示する標準モードと撮影画面の一部を拡大表示する拡大モードの間で前記撮像装置の電子ビューファインダの表示モードを切換える第１の操作部材と、オートフォーカスモードとマニュアルフォーカスモードのいずれか一方を選択する第２の操作部材と、を有し、前記第１の操作部材と前記第２の操作部材は、前記光軸を中心とした円周上の同一の位相に配置されており、前記第１の操作部材は、前記第２の操作部材よりも前記フォーカスリングに近く、前記フォーカスリング上に使用者が手を置いた状態のまま、前記手の親指で操作可能な位置に配置されていることを特徴とする。
【発明の効果】
【００１２】
本発明によれば、レンズ装置に設けられた第１の操作部材を操作することによって撮像装置側の機能をコントロールすることができるので、レンズ装置上に手を置いたまま第１の操作部材を通じて撮像装置の該機能を使用することができる。したがって、スムーズな撮影を行うことができる。
【図面の簡単な説明】
【００１３】
【図１】本発明の実施例１である撮像システムの構成を示すブロック図。
【図２】実施例１のレンズＣＰＵの動作を示すフローチャート。
【図３】実施例１のカメラＣＰＵの動作を示すフローチャート。
【図４】実施例１の交換レンズの外観図。
【図５】本発明の実施例２である交換レンズの外観図。
【図６】実施例２のレンズＣＰＵの動作を示すフローチャート。
【図７】実施例２のカメラＣＰＵの動作を示すフローチャート。
【図８】本発明の実施例３である撮像システムの構成を示すブロック図。
【図９】実施例３のレンズＣＰＵの動作を示すフローチャート。
【図１０】実施例３のカメラＣＰＵの動作を示すフローチャート。
【図１１】本発明の実施例４である交換レンズの外観図。
【発明を実施するための形態】
【００１４】
以下、本発明の実施例について図面を参照しながら説明する。
【実施例１】
【００１５】
図１には、本発明の実施例１である撮像システムの構成を示している。該撮像システムは、ビデオカメラ、一眼レフデジタルスチルカメラ等の撮像装置（以下、カメラという）９と、該カメラ９に着脱可能に装着される交換レンズ（レンズ装置）８とにより構成されている。なお、図中の線２０は、交換レンズ８とカメラ９との境界を示す。
【００１６】
まず、交換レンズ８の構成について説明する。図１において、１はフォーカスリングであり、交換レンズ８の鏡筒回りで回転操作可能である。２はフォーカスリング１の回転方向を示している。
【００１７】
３，４，６，７は交換レンズ８内においてズーム撮影光学系を構成するレンズユニットである。ここでは、最も一般的にビデオカメラで用いられている４群リアフォーカスタイプの光学系を示している。但し、本発明において、レンズタイプはこの限りではない。
【００１８】
３は正の光学的パワーを有する固定の前玉レンズユニット、４は光軸方向に移動して変倍効果を得る変倍レンズユニット（バリエーターレンズ）、６は固定のアフォーカルレンズユニットである。また、７は光軸方向に移動して焦点調節を行うフォーカスレンズユニットであり、変倍中のピント移動を抑えるためのコンペンセータとしての働きも有する。
【００１９】
５は絞りユニットで、変倍レンズユニット４とアフォーカルレンズユニット６との間に配置されている。絞りユニット５は、その開口径を変更することで、像面に到達する光量を調節する。
【００２０】
１０はフォーカスリング１の回転方向と回転量又は回転速度を検出するリング回転検出器である。リング回転検出器１０は、例えば、リング１に櫛歯状に形成された複数の突起部が不図示のフォトインタラプタの発光部と受光部の間を通過することで矩形波信号を出力する。この矩形波信号をカウントしたり入力間隔をモニタしたりすることで、フォーカスリング１の回転方向と回転量又は回転速度を検出することができる。リング回転検出器１０としては、可変抵抗器を用いたもの等、その構成や検出原理は問わない。
【００２１】
１１はズームアクチュエータであり、ステップモータや、マグネットもしくはコイルが光軸方向にリニアに移動するボイスコイル型リニアアクチュエータなどで構成される。
【００２２】
１２はズーム位置検出器であり、変倍レンズユニット４の光軸方向の位置を検出する。ズームアクチュエータ１１がステップモータの場合は、例えば、電源投入時に初期位置に変倍レンズユニット４がリセットされた後、ステップモータの駆動パルスをカウントすることでその位置を検出することができる。初期位置へのリセットは、不図示のフォトインタラプタの発光部と受光部との間への変倍レンズユニット４に設けられた遮光部の挿入を検出することで行われる。また、ズーム位置検出器１２としては、磁気式もしくは光学式エンコーダを用いることもできる。
【００２３】
１３はフォーカスアクチュエータであり、ステップモータや、マグネットもしくはコイルが光軸方向にリニアに移動するボイスコイル型リニアアクチュエータなどで構成される。
【００２４】
１４はフォーカス位置検出器であり、ズーム位置検出器１２として説明したもののうちのいずれかが使用される。
【００２５】
１５は交換レンズ側のコントローラとしてのレンズＣＰＵ（制御手段、レンズ通信手段）である。レンズＣＰＵ１５は、各位置検出器やスイッチの状態を把握して、各アクチュエータの駆動を制御したり、後述するカメラＣＰＵとの通信を行ったりする。
【００２６】
１６はレンズＣＰＵ１５内に設けられたズームトラッキングメモリである。該メモリ１６は、変倍中に連動する変倍レンズユニット４とフォーカスレンズユニット７の被写体距離に応じた位置関係情報を記憶している。変倍を行う際に、変倍レンズユニット４とフォーカスレンズユニット７の位置関係をこの情報に応じた関係に維持することにより、被写体にピントを合わせたままの変倍（ズーミング）を行うことができる。
【００２７】
１７は第１の操作部材としてのファインダ倍率切換えスイッチである。これについては後述する。
【００２８】
１８は第２の操作部材としてのオートフォーカスモード（ＡＦ）とマニュアルフォーカスモード（ＭＦ）とを切り換えるために操作されるＡＦ／ＭＦ切換えスイッチである。
【００２９】
２１は接点ブロック（レンズ側接点ブロック、及び該レンズ側接点ブロックと接続される撮像装置側接点ブロック）であり、交換レンズ８とカメラ９のマウント部に構成される。１９および２２の矢印は、該接点ブロック２１を介して通信が行われることを表している。
【００３０】
次に、カメラ９の構成について説明する。２３はカメラ側のコントローラとしてのカメラＣＰＵであり、カメラ９での各動作の制御を司る。
【００３１】
２４はＣＣＤセンサ、ＣＭＯＳセンサ等の撮像素子であり（図には、ＣＣＤと記す）、撮影光学系によって形成された被写体像を光電変換する。
【００３２】
２５はカメラ信号処理回路であり、撮像素子２４からの出力に対してゲイン調整やガンマ補正などの所定の処理を施す。これにより、映像信号が生成される。映像信号は、後述する電子ビューファインダ２９に供給されて映像として表示される。また、映像信号は、記録部３０に出力され、ここで不図示の記録媒体（半導体メモリ、光ディスク、磁気テープ等）に記録される。
【００３３】
２６はＡＦゲートであり、例えば撮影画面の中心部の映像信号成分を取り出す。
【００３４】
２７はＡＦ回路であり、ＡＦゲート２６を通過した映像信号成分から所定の周波数成分を抽出し、映像のコントラストに対応したＡＦ評価値信号を生成する。ＡＦ評価値信号が最大となるようにフォーカスレンズユニット７を駆動することで、いわゆるコントラスト検出（ＴＶ−ＡＦ）方式のＡＦを行うことができる。
【００３５】
２８は表示範囲切換え回路であり、電子ビューファインダ２９に映像信号のうちどの画面部分を表示するか、すなわち表示モードを切り換える。例えば、撮影画面全体を表示する「標準」（標準モード）と、撮影画面の中心部のみ（一部）を拡大表示する「拡大」（拡大モード）とを切り換えることができる。なお、「拡大」表示する範囲は、画面中心部でなくてもよく、該範囲を撮影者（使用者）が予め設定できるようにしてもよい。
【００３６】
ここで、ファインダ倍率切換えスイッチ１７について説明する。このスイッチ１７は、カメラ側に設けられた表示範囲切換え回路２８の「標準」と「拡大」の表示サイズ切換え機能をコントロールするために操作される。ＡＦ／ＭＦ切換えスイッチ１８によってマニュアルフォーカスが選択されているときに該ファインダ倍率切換えスイッチ１７が「標準」側又は「拡大」側に操作されると、レンズＣＰＵ１５は、その情報（信号）を接点ブロック２１を介してカメラＣＰＵ２３に通信する。カメラＣＰＵ２３は、受け取った情報に応じて、表示範囲切換え回路２８を動作させ、電子ビューファインダ２９に標準サイズでの表示又は拡大サイズでの表示を行わせる。拡大サイズは、標準サイズの２倍等、任意の倍率でよく、該倍率を予め撮影者が設定できるようにしてもよい。
【００３７】
次に、本実施例におけるレンズＣＰＵ１５およびカメラＣＰＵ２３の動作を、図２および図３を用いて説明する。
【００３８】
まず、レンズＣＰＵ１５は、図２のステップ（図では「Ｓ」と略す）２０１で動作をスタートする。ステップ２０２では、ＡＦ／ＭＦ切換えスイッチ１８の状態を検出する。オートフォーカスが選択されている場合には、ステップ２０５に進み、オートフォーカスが選択されていることをカメラＣＰＵ２３に通信する。
【００３９】
この場合、レンズＣＰＵ１５は、ファインダ倍率切換えスイッチ１７の操作を受け付けない。すなわち、オートフォーカス時においては、レンズ側からの電子ビューファインダ２９の標準／拡大表示切換えのコントロールは禁止される。これは、ＡＦによってある程度高精度にピント合わせを行うことができ、拡大表示によってピント合わせを確認する必要性に乏しいからである。また、撮影者にマニュアルフォーカスを行う意思がない状態で誤ってファインダ倍率切換えスイッチ１７に触れてこれを切り換えてしまった場合に、電子ビューファインダ２９の表示サイズが切り換わることを防止する意味もある。この場合、撮影者が、レンズ側でのズーミング又はカメラ側での電子ズームが行われてしまったと勘違いするおそれがあるためである。なお、ステップ２０５からはステップ２０２に戻る。
【００４０】
一方、ステップ２０２でマニュアルフォーカスが選択されている場合は、ステップ２０３に進む。
【００４１】
ステップ２０３では、ファインダ倍率切換えスイッチ１７の状態を検出する。そして、ステップ２０４では、レンズＣＰＵ１５は、カメラＣＰＵ２３に対して、マニュアルフォーカスが選択されていることと、ファインダ倍率切換えスイッチ１７の状態（「標準」か「拡大」か）を通信する。このファインダ倍率切換えスイッチ１７の状態を示す信号が、カメラ側の表示範囲切換え回路２８をコントロールするための信号である。そして、ステップ２０２に戻る。
【００４２】
なお、このフローは、例えば１／６０秒（テレビＮＴＳＣのフィールド周期）ごとに実行され、レンズ側でのＡＦ／ＭＦ切換えスイッチ１８の状態と、マニュアルフォーカス時におけるファインダ倍率切換えスイッチ１７の状態は、随時レンズ側からカメラ側へ通信されている。
【００４３】
一方、カメラＣＰＵ２３の動作は、図３のステップ３０１でスタートする。ステップ３０２では、レンズ側からの通信によって、オートフォーカスが選択されているかマニュアルフォーカスが選択されているかを判別する。オートフォーカスが選択されているときは、ステップ３０４に進み、表示範囲切換え回路２８に「標準」サイズでの映像表示を行わせる。
【００４４】
また、ステップ３０２でマニュアルフォーカスが選択されている場合には、ステップ３０３で、レンズ側から通信されてきたファインダ倍率切換えスイッチ１７の状態を判別する。「標準」と判別した場合は、ステップ３０４に進み、オートフォーカス時と同様に、表示範囲切換え回路２８に「標準」サイズでの映像表示を行わせる。また、「拡大」と判別した場合には、ステップ３０５に進み、表示範囲切換え回路２８に「拡大」サイズでの映像表示を行わせる。これにより、撮影範囲の中心部が電子ビューファインダ２９に拡大表示されるので、拡大表示された被写体に対してマニュアルフォーカスによってより正確にピントを合わせ込むことができる。ステップ３０４，３０５からはステップ３０２に戻る。
【００４５】
図４には、本実施例の交換レンズ８の外観を示している。ファインダ倍率切換えスイッチ１７は、「標準」と「拡大」の２ポジションで切換えられるスイッチである。また、ＡＦ／ＭＦ切換えスイッチ１８も、「ＭＦ」と「ＡＦ」の２ポジションで切換えられるスイッチである。
【００４６】
さらに、ファインダ倍率切換えスイッチ１７は、マニュアルフォーカスに際してフォーカスリング１上に手（一般には左手）を置いた状態のまま親指で操作できる範囲に配置されている。言い換えれば、ＡＦ／ＭＦ切換えスイッチ１８よりもフォーカスリング１に近い位置に配置されている。電子ビューファインダ２９の表示サイズ切換え機能は、マニュアルフォーカス時に併用される機能であるため、このような配置を採ることで、スムーズな撮影が可能となる。
【００４７】
なお、本実施例では、電子ビューファインダ２９において「標準」と「拡大」の２つの表示サイズを選択できる場合について説明したが、拡大表示倍率を複数段階選択できるようにしてもよい。この場合、ファインダ倍率切換えスイッチ１７のポジションを該段階数に応じて増やせばよい。
【００４８】
また、上記実施例では、オートフォーカス選択時にはファインダ倍率切換えスイッチ１７による表示サイズ切換えを受け付けないようにした場合について説明したが、必ずしもこうである必要はない。すなわち、マニュアル／オートフォーカスにかかわらず、ファインダ切換えスイッチ１７を通じて電子ビューファインダ２９での表示サイズを切り換えられるようにしてもよい。
【実施例２】
【００４９】
図５には、実施例１の変形例としての交換レンズ８′の外観を示している。実施例１では、ファインダ倍率切換えスイッチ１７を２ポジション切換えタイプのスイッチとした場合について説明したが、本実施例では、ファインダ倍率切換えスイッチ１７′をプッシュスイッチとしている。
【００５０】
本実施例では、ファインダ倍率切換えスイッチ１７′を押す前は、カメラ側の電子ビューファインダ２９において「標準」サイズで映像が表示される。そして、ファインダ倍率切換えスイッチ１７′を押すと、電子ビューファインダ２９に所定時間の間のみ「拡大」サイズでの映像表示が行われ、その後、元の「標準」サイズ表示に復帰する。
【００５１】
また、ＡＦ／ＭＦ切換えスイッチ１８は、実施例１と同様に、「ＭＦ」と「ＡＦ」の２ポジションで切換えられるスイッチである。
【００５２】
さらに、本実施例においても、ファインダ倍率切換えスイッチ１７′は、マニュアルフォーカスに際してフォーカスリング１上に手（一般には左手）を置いた状態のまま親指で操作できる範囲に配置されている。言い換えれば、ＡＦ／ＭＦ切換えスイッチ１８よりもフォーカスリング１に近い位置に配置されている。
【００５３】
次に、本実施例におけるレンズＣＰＵ１５およびカメラＣＰＵ２３の動作を、図６および図７を用いて説明する。なお、本実施例において、ファインダ倍率切換えスイッチ１７′以外の構成は実施例１と同様である。このため、以下の説明において、実施例１と共通する構成要素には実施例１と同符号を付す。
【００５４】
まず、レンズＣＰＵ１５は、図６のステップ４０１で動作をスタートする。ステップ４０２では、ＡＦ／ＭＦ切換えスイッチ１８の状態を検出する。オートフォーカスが選択されている場合には、ステップ４０６に進み、オートフォーカスが選択されていることをカメラＣＰＵ２３に通信する。この場合、レンズＣＰＵ１５は、ファインダ倍率切換えスイッチ１７′の操作を受け付けない。理由は、実施例１で述べた通りである。
【００５５】
一方、ステップ４０２でマニュアルフォーカスが選択されている場合は、ステップ４０３に進む。
【００５６】
ステップ４０３では、レンズＣＰＵ１５は、カメラＣＰＵ２３に対して、マニュアルフォーカスが選択されていることを通信する。
【００５７】
次に、ステップ４０４では、ファインダ倍率切換えスイッチ１７′が操作されたか否かを判別する。操作されていない場合は、ステップ４０２に戻る。また、操作された場合は、ステップ４０５に進む。なお、このフローは、例えば１／６０秒（テレビＮＴＳＣのフィールド周期）ごとに実行され、レンズ側でのＡＦ／ＭＦ切換えスイッチ１８の状態とファインダ倍率切換えスイッチ１７′の状態は、随時レンズ側からカメラ側へ通信されている。
【００５８】
ステップ４０５では、レンズＣＰＵ１５は、カメラＣＰＵ２３に対して、ファインダ倍率切換えスイッチ１７′が操作されたことを通信する。このファインダ倍率切換えスイッチ１７′の操作を示す信号が、カメラ側の表示範囲切換え回路２８をコントロールするための信号である。
【００５９】
一方、カメラＣＰＵ２３の動作は、図７のステップ５０１でスタートする。ステップ５０２では、カメラＣＰＵ２３は、レンズ側からの通信によって、オートフォーカが選択されているかマニュアルフォーカスが選択されているかを判別する。オートフォーカスが選択されているときは、ステップ５０８に進み、表示範囲切換え回路２８に「標準」サイズでの映像表示を行わせる。この後、ステップ５０２に戻る。
【００６０】
また、ステップ５０２でマニュアルフォーカスが選択されている場合には、ステップ５０３で、レンズ側からの通信によって、ファインダ倍率切換えスイッチ１７′が押されたか否かを判別する。押されていないと判別した場合は、ステップ５０８に進み、オートフォーカス時と同様に、表示範囲切換え回路２８に「標準」サイズでの映像表示を行わせる。また、「拡大」と判別した場合には、ステップ５０４に進み、表示範囲切換え回路２８に「拡大」サイズでの映像表示を行わせる。これにより、撮影範囲の中心部が電子ビューファインダ２９に拡大表示されるので、拡大表示された被写体に対してマニュアルフォーカスによってより正確にピントを合わせ込むことができる。
【００６１】
さらに、ステップ５０５では、カウンタを初期設定する。そして、ステップ５０６で、カウンタ値が０になったか否かを判別し、０でない場合はステップ５０７に進む。ステップ５０７では、カウンタ値を１デクリメントし、ステップ５０６に戻る。このフローも、例えば１／６０秒周期で実行されており、該周期で、カウンタ値の０判定とデクリメントとが繰り返される。
【００６２】
こうして、カウンタ値が０になると、ステップ５０６からステップ５０８に進む。ステップ５０８では、表示範囲切換え回路２８に「標準」サイズでの映像表示を行わせる。これにより、「拡大」サイズでの表示状態から「標準」サイズでの表示状態に自動的に戻る。この後、ステップ５０２に戻る。
【００６３】
なお、本実施例２では、電子ビューファインダ２９において「標準」と「拡大」の２つの表示サイズを選択できる場合について説明したが、拡大表示倍率を複数段階選択できるようにしてもよい。この場合、ファインダ倍率切換えスイッチ１７′の１回目の操作により第１の拡大倍率での表示が行われ、２回目の操作によりさらに大きい拡大倍率での表示が行われ、３回目の操作で標準に戻るようにしてもよい。
【００６４】
また、本実施例では、オートフォーカス選択時にはファインダ倍率切換えスイッチ１７′による表示サイズ切換えを受け付けないようにした場合について説明したが、必ずしもこうである必要はない。すなわち、マニュアル／オートフォーカスにかかわらず、ファインダ切換えスイッチ１７′を通じて電子ビューファインダ２９での表示サイズを切り換えられるようにしてもよい。
【実施例３】
【００６５】
実施例１，２では、レンズ側に設けられたファインダ倍率切換えスイッチによってカメラ側に設けられた電子ビューファインダの表示倍率をコントロールすることができる場合について説明した。これに対して、本実施例では、レンズ側に設けられた光学ズーム機能とカメラ側に設けられた電子ズーム機能とをレンズ側で操作可能とする例を示している。
【００６６】
図８には、本発明の実施例３である撮像システムの構成を示している。なお、図８において、図１と共通する構成要素には図１と同符号を付して説明に代える。
【００６７】
交換レンズ８０において、３１は電子ズームＯＮ／ＯＦＦスイッチ（第１の操作手段）であり、ＯＮとＯＦＦの２ポジションを有するスイッチである。撮影者は、このスイッチ３１を操作して、カメラ側に設けられた電子ズーム機能のＯＮ（使用）とＯＦＦ（不使用）とをコントロールすることができる。ここで、電子ズーム機能とは、撮像素子２４を通じて得られた画像のうちの表示および記録範囲を可変とすることでズーム効果を得る機能である。一般に、電子ズームは、撮影光学系のズーミング（光学ズーム）で得られる最大倍率（テレ端）よりもさらに大きな倍率で画像を表示又は記録する場合に使用される。
【００６８】
３２はズーム操作を行うために回転操作されるズームリング（第２の操作手段）である。３３はズームリング３２の回転を検出するリング回転検出器である。リング回転検出器３３は、実施例１で示したリング回転検出器１０と同様に構成されている。
【００６９】
また、カメラ９０において、３４は上記電子ズームのための画像処理を制御する電子ズーム制御回路である。他の構成については、実施例１と同様である。
【００７０】
次に、本実施例におけるレンズＣＰＵ１５およびカメラＣＰＵ２３の動作を、図９および図１０を用いて説明する。
【００７１】
まず、レンズＣＰＵ１５は、図９のステップ６０１で動作をスタートする。ステップ６０２では、電子ズームＯＮ／ＯＦＦスイッチ３１の状態を読み込む。ＯＦＦであれば、ズーム効果を得る手段は光学ズームのみであるので、ステップ６１０に進み、ズームリング３２の操作に応じて光学ズーム動作を行う。具体的には、ズームリング３２の回転をリング回転検出器３３によって検出し、検出されたズームリング３２の回転方向と回転量（又は回転速度）に応じてズームアクチュエータ１１により変倍レンズユニット４を駆動する。
【００７２】
また、ステップ６０２において、電子ズームＯＮ／ＯＦＦスイッチ３１がＯＮである場合は、ステップ６０３に進む。電子ズームＯＮ／ＯＦＦスイッチ３１の状態を示す情報はは、レンズＣＰＵ１５からカメラＣＰＵ２３に伝達される。
【００７３】
ステップ６０３では、リング回転検出器３３を通じてズームリング３２の操作が行われたか否かを検出する。ズームリング３２の操作が行われていない場合には、ステップ６０２に戻る。また、ズームリング３２が操作された場合には、ステップ６０４に進む。
【００７４】
ステップ６０４では、レンズＣＰＵ１５は、カメラＣＰＵ２３からの通信により受け取った情報に基づいて、カメラ側の電子ズームの倍率が１より大きいか否か、つまり電子ズームによる画像拡大が行われているか否かを判別する。以下、電子ズームによる画像拡大が行われている（光学ズームはテレ端にある）状態を、電子ズーム領域にあるという。
【００７５】
電子ズーム領域にない場合には、ステップ６０５に進み、ズームリング３２の操作方向がワイド方向かテレ方向かを判別する。ワイド方向であれば、ステップ６０６に進み、ステップ６１０と同様にして、ワイド方向への光学ズームを行う。また、テレ方向であれば、ステップ６０７に進む。
【００７６】
ステップ６０７では、ズーム位置検出器１２を通じて光学ズームがテレ端にあるか否かを判別する。テレ端でない場合には、ステップ６０８に進み、ステップ６１０と同様にして、テレ方向への光学ズームを行う。一方、テレ端である場合には、ステップ６０９に進み、レンズＣＰＵ１５は、リング回転検出器３３によって検出したズームリング３２の回転方向と回転量（又は回転速度）の情報をカメラＣＰＵ２３に通信する。また、このとき、レンズＣＰＵ１５は、変倍レンズユニット４がテレ端にあることをカメラＣＰＵ２３に通信する。この情報は、カメラ側において電子ビューファインダ２９に表示される。
【００７７】
一方、カメラＣＰＵ２３は、図１０のステップ７０１で動作をスタートする。ステップ７０２では、レンズ側からの通信により電子ズームのＯＮ／ＯＦＦスイッチ３１がＯＮかＯＦＦかを判別する。ＯＦＦであれば、ステップ７０３に進み、電子ズーム制御回路３４を動作させない（電子ズーム倍率を１に固定する）。そして、ステップ７０２に戻る。また、ＯＮであれば、ステップ７０４に進む。
【００７８】
ステップ７０４では、レンズ側からの通信によって、ズームリング３２の操作が行われたか否かを判別する。操作が行われていない場合は、ステップ７０２に戻る。また、操作が行われた場合は、ステップ７０５に進む。
【００７９】
ステップ７０５では、現在、電子ズーム領域か否かを判別する。電子ズーム領域にある場合には、ステップ７０６に進み、レンズ側から受信したズームリング３２の回転方向と回転量（又は回転速度）の情報に基づいて、電子ズーム制御回路３４に電子ズームを行わせる。
【００８０】
そして、ステップ７０７では、電子ズームがワイド端に到達したか否かを判別する。ワイド端に到達した場合は、ステップ７０８に進み、カメラＣＰＵ２３は、レンズＣＰＵ１５に対して、電子ズームがワイド端に達し、電子ズーム領域にないことを通信する。そして、ステップ７０２に戻る。
【００８１】
一方、ステップ７０５において、現在、電子ズーム領域にない場合には、ステップ７０９に進む。ステップ７０９では、レンズ側から受信したズームリング３２の回転方向がテレ方向か否かを判別する。ワイド方向である場合はステップ７０９に進む。また、テレ方向である場合は、ステップ７１０に進み、レンズ側から受信したズームリング３２の回転量（又は回転速度）の情報に基づいてテレ方向への電子ズームを電子ズーム制御回路３４に行わせる。そして、ステップＳ７０２に戻る。
【００８２】
以上のように、本実施例によれば、レンズ側に設けられた電子ズームＯＮ／ＯＦＦスイッチ３１がＯＦＦ（第１の状態）の場合には、ズームリング３２の操作によって、レンズ側の光学ズーム機能（第１の機能）をコントロールすることができる。また、電子ズームＯＮ／ＯＦＦスイッチ３１がＯＮ（第２の状態）の場合には、ズームリング３２の操作によって、カメラ側の電子ズーム機能（第２の機能）をコントロールすることができる。したがって、撮影に際して、光学ズームおよび電子ズームを含むズームの操作を、ズームリング３２から手を離さずにスムーズに行うことができる。
【００８３】
なお、電子ズームＯＮ／ＯＦＦスイッチ３１とズームリング３２の実際の交換レンズ上での配置関係については、次の実施例４において説明する。
【実施例４】
【００８４】
図１１には、本発明の実施例４である交換レンズ８１の外観を示す。本実施例の交換レンズには、実施例３で説明したズームリング３２および電子ズームＯＮ／ＯＦＦスイッチ３１と、実施例１で説明したフォーカスリング１およびファインダ表示倍率切換えスイッチ１７とが設けられている。さらに、該交換レンズには、後述する露出調整リング５１と露出調整モード設定スイッチ５０とが設けられている。
【００８５】
ファインダ表示倍率切換えスイッチ１７は、実施例１で説明したように、マニュアルフォーカスに際してフォーカスリング１上に手を置いた状態のまま親指で操作できる範囲に配置されている。図１１では、上述した他のリング３２，５１やスイッチ３１，５０よりもフォーカスリング１に近い位置に配置されている。
【００８６】
また、電子ズームＯＮ／ＯＦＦスイッチ３１も、ズーム操作に際してズームリング３２上に手（一般には左手）を置いた状態のまま親指で操作できる範囲に配置されている。言い換えれば、電子ズームＯＮ／ＯＦＦスイッチ３１は、上述した他のリング１，５１やスイッチ１７，５０よりもズームリング３２に近い位置に配置されている。このため、電子ズームを使用するか否かの切換えをズームリング３２から手を離さなくても行うことができる。しかも、前述したように、撮影中のズーム機能として併用されるレンズ側の光学ズーム機能とカメラ側の電子ズーム機能のコントロールをズームリング３２の操作で行うことができる。したがって、ズームに関連する操作をレンズ側のみで行うことができ、スムーズに撮影を行うことができる。
【００８７】
また、露出調整モード設定スイッチ（第１の操作手段）５０は、「絞り」，「シャッタ速度」，「プログラム」の３ポジションに切り換えが可能なスイッチである。
【００８８】
カメラに設けられた不図示のダイヤルを操作して、ＡＥオフ又はＡＥロックの状態から、該スイッチ５０を「絞り」（第１の状態）にセットする。この状態において、露出調整リング（第２の操作手段）５１が回転操作されると、レンズＣＰＵ１５は該リング５１の回転方向および回転量を不図示のリング回転検出器を通じて検出する。そして、該検出結果に応じて、交換レンズ８１内に設けられた絞りユニット５の駆動（第１の機能）をコントロールする。これにより、マニュアル操作による露出調整を行うことができる。
【００８９】
また、同様の状態から該スイッチ５０が「シャッタ速度」（第２の状態）が設定された場合において、露出調整リング５１が回転操作されると、レンズＣＰＵ１５は該リング５１の回転方向および回転量をカメラＣＰＵ２３に通信する。これを受けたカメラＣＰＵ２３は、該リングの回転方向および回転量に応じて、撮像素子２４の電荷蓄積時間（電子シャッタのシャッタ速度：第２の機能）をコントロールする。
【００９０】
さらに、被写体の明るさに応じた露出が、絞りユニット５の開口径（絞り値）とシャッタ速度の両方を組み合わせて（併用して）コントロールされる場合において、該コントロールがカメラのメモリに記憶されたいわゆるプログラム線図に従う場合がある。この場合には、該スイッチ５０を「プログラム」（第２の状態）にセットする。
【００９１】
そして、露出調整リング５１が回転操作されると、レンズＣＰＵ１５は該リング５１の回転方向および回転量をカメラＣＰＵ２３に通信する。これを受けたカメラＣＰＵ２３は、該リングの回転方向および回転量に応じて、絞り値とシャッタ速度を該プログラム線図上で変更する（第２の機能）。絞り値の制御については、カメラＣＰＵ２３からレンズＣＰＵ１５に指令され、レンズＣＰＵ１５によって絞りユニット５が駆動される。なお、プログラム線図が複数ある場合には、その数だけ「プログラム」の選択ポジションを増やせばよい。
【００９２】
このように、露出調整モード設定スイッチ５０と露出調整リング５１とを操作することで、レンズ側とカメラ側での様々な露出調整機能のコントロールを行うことができる。
【００９３】
以上説明したように、上記各実施例によれば、交換レンズに設けられたスイッチを操作することによって、カメラ側の機能をコントロールすることができる。特に、該スイッチは、そのスイッチによりコントロールされるカメラ側の機能と併用される又は関連の強いレンズ側の機能をコントロールするための操作リングの近くに配置されている。このため、撮影者は、該操作リング上に手を置いたままスイッチを操作できる。したがって、スムーズな撮影を行うことができる。
【００９４】
また、実施例３，４によれば、交換レンズに設けられたスイッチの切換えによって、同じ交換レンズに設けられた操作リングを通じてレンズ側の機能をコントロールしたりカメラ側の機能をコントロールしたりすることができる。すなわち、スイッチの切換えによって操作リングによるコントロール対象をレンズ側とカメラ側とに変更することができる。しかも、スイッチは、操作リング上に手を置いたまま操作できる。したがって、スムーズな撮影を行うことができる
【符号の説明】
【００９５】
１  フォーカスリング
４  変倍レンズユニット
５  絞りユニット
７  フォーカスレンズユニット
８，８′，８０  交換レンズ
１７  ファインダ倍率切換えスイッチ
３１  電子ズームＯＮ／ＯＦＦスイッチ
３２  ズームリング
５０  露出調整モード設定スイッチ
５１  露出調整リング
９，９０  カメラ
【図１】
0005465224.tif 000002
【図２】
0005465224.tif 000003
【図３】
0005465224.tif 000004
【図４】
0005465224.tif 000005
【図５】
0005465224.tif 000006
【図６】
0005465224.tif 000007
【図７】
0005465224.tif 000008
【図８】
0005465224.tif 000009
【図９】
0005465224.tif 000010
【図１０】
0005465224.tif 000011
【図１１】
0005465224.tif 000012